(57)【要約】【課題】誤入力の可能性が高い場合に入力確認を行い、効率的に誤入力を低減することができる入力装置を提供する。【解決手段】操作部１３でデータの送信先アドレスの入力を受付ける複合機１０において、送信先アドレスの入力時間を主制御部１１で計時し、計時した入力時間に基づいて、１キーあたりの入力時間を主制御部１１で算出し、ＲＯＭ２２に記憶されている、１キーあたりの入力時間と入力確認の要否との対応関係に基づいて、入力確認が必要であるか否かを主制御部１１で判定し、判定結果に応じて入力確認を行う。【選択図】図１
2007128445.tif 000002
【特許請求の範囲】
【請求項１】
データの送信先アドレスの入力を受付ける入力装置において、
送信先アドレスの入力時間を計時する計時手段と、
該計時手段が計時した入力時間に基づいて入力確認が必要であるか否かを判定する判定手段と
を備え、該判定手段の判定結果に応じて入力確認を行うように構成してあることを特徴とする入力装置。
【請求項２】
送信先アドレスの入力は複数のキーで受付けており、
１キーあたりの入力時間を算出する算出手段を備え、
前記判定手段は、前記算出手段が算出した入力時間に基づいて入力確認が必要であるか否かを判定するように構成してあることを特徴とする請求項１記載の入力装置。
【請求項３】
１キーあたりの入力時間と入力確認の要否との対応関係を記憶する記憶部を備え、
前記判定手段は、前記算出手段が算出した入力時間及び前記記憶部に記憶されている対応関係とに基づいて入力確認が必要であるか否かを判定するように構成してあることを特徴とする請求項２記載の入力装置。
【発明の詳細な説明】
【技術分野】
【０００１】
本発明は、データの送信先アドレスの入力を受付ける入力装置に関する。
【背景技術】
【０００２】
ＦＡＸ（ファクシミリ）機又は複合機などでＦＡＸ送信を行う場合、ＦＡＸ番号の入力を間違えて、誤送信することがある。誤入力を防止する方法としては、例えば操作したキーの内容を操作者に音声で通知する装置が提案されている（特許文献１参照）。
【特許文献１】特開２０００−２９５９３号公報
【発明の開示】
【発明が解決しようとする課題】
【０００３】
しかし、操作したキーの内容を音声で通知する場合は、音声を出力する分だけ時間がかかり、操作時間が長くなるため、操作効率が低下するという問題がある。
【０００４】
本発明は斯かる事情に鑑みてなされたものであり、送信先アドレスの入力時間を計時する計時手段と、計時された入力時間に基づいて入力確認が必要であるか否かを判定する判定手段とを備え、判定結果に応じて入力確認を行うように構成したことにより、誤入力の可能性が高い場合に入力確認を行い、効率的に誤入力を低減することができる入力装置を提供することを目的とする。
【０００５】
また、本発明は、送信先アドレスの入力は複数のキーで受付けており、１キーあたりの入力時間を算出する算出手段を備えることにより、送信先アドレスの番号の桁数などの違いの影響を受けずに入力時間を求めることができる入力装置を提供することを他の目的とする。
【０００６】
また、本発明は、１キーあたりの入力時間と入力確認の要否との対応関係を記憶する記憶部を備え、算出された入力時間及び前記記憶部に記憶されている対応関係とに基づいて入力確認が必要であるか否かを判定するように構成したことにより、記憶部に記憶する対応関係を変更して、誤入力の判定条件を柔軟に変更することができる入力装置を提供することを他の目的とする。
【課題を解決するための手段】
【０００７】
第１発明に係る入力装置は、データの送信先アドレスの入力を受付ける入力装置において、送信先アドレスの入力時間を計時する計時手段と、該計時手段が計時した入力時間に基づいて入力確認が必要であるか否かを判定する判定手段とを備え、該判定手段の判定結果に応じて入力確認を行うように構成してあることを特徴とする。
【０００８】
第２発明に係る入力装置は、第１発明において、送信先アドレスの入力は複数のキーで受付けており、１キーあたりの入力時間を算出する算出手段を備え、前記判定手段は、前記算出手段が算出した入力時間に基づいて入力確認が必要であるか否かを判定するように構成してあることを特徴とする。
【０００９】
第３発明に係る入力装置は、第２発明において、１キーあたりの入力時間と入力確認の要否との対応関係を記憶する記憶部を備え、前記判定手段は、前記算出手段が算出した入力時間及び前記記憶部に記憶されている対応関係とに基づいて入力確認が必要であるか否かを判定するように構成してあることを特徴とする。
【００１０】
第１発明においては、送信先アドレスの入力時間を計時手段で計時し、計時された入力時間に基づいて入力確認が必要であるか否かを判定手段で判定し、判定結果に応じて入力確認を行う。例えば、入力時間が標準よりも短時間の場合は、急いで入力されており、誤入力の可能性が高まるため、入力確認を行う。また、例えば、入力時間が標準よりも長時間の場合は、迷いながら入力している可能性が高く、誤入力の可能性が高いため、入力確認を行う。入力時間に基づいて、誤入力の可能性が高い場合に入力確認を行い、効率的に誤入力を低減することができる。
【００１１】
第２発明においては、送信先アドレスの入力は複数のキーで受付けており、１キーあたりの入力時間を算出手段で算出し、算出した入力時間に基づいて入力確認が必要であるか否かを判定手段で判定する。例えば送信アドレスのキー入力開始からキー入力終了（例えばスタートキーの押下）までの時間を計時し、計時した時間をキー入力数（例えばＦＡＸ番号の桁数）で除算して、１キーあたりの平均入力時間を算出することが可能である。１キーあたりの入力時間を算出することにより、例えば市内局番又は市外局番などの違いによってＦＡＸ番号の全入力時間が異なる場合であっても、同じように扱うことができる。
【００１２】
第３発明においては、１キーあたりの入力時間と入力確認の要否との対応関係を記憶する記憶部を備え、前記算出手段が算出した入力時間及び前記記憶部に記憶されている対応関係とに基づいて入力確認が必要であるか否かを判定手段で判定するため、例えば入力時間と入力を間違う確率（誤入力率）との関係を調査し、調査結果に基づいて求めた、入力時間と入力確認の要否との対応関係を前記記憶部に記憶することができる。前記記憶部に記憶する対応関係を変更して、誤入力の判定条件を柔軟に変更することができる。
【発明の効果】
【００１３】
第１発明によれば、入力時間に基づいて、誤入力の可能性が高い場合に入力確認を行い、効率的に誤入力を低減することができる。
【００１４】
第２発明によれば、送信先アドレスの番号の桁数などの違いの影響を受けずに入力時間を求めることができる。
【００１５】
第３発明によれば、記憶部に記憶する対応関係を変更して、誤入力の判定条件を柔軟に変更することができる。
【発明を実施するための最良の形態】
【００１６】
以下、本発明をその実施の形態を示す図面に基づいて具体的に説明する。本実施の形態では、ファクシミリ，イメージスキャナ及びプリンタの機能を有する複合機に設けられた入力装置を例にして説明を行う。
【００１７】
図１は本発明に係る入力装置を備える複合機の構成例を示すブロック図である。複合機１０は、社内ＬＡＮ（Local Area Network）などの内部ネットワーク３０に接続されている。また、複合機１０は、電話回線網又はインターネットなどの外部ネットワーク３２に接続されている。
【００１８】
複合機１０は、主制御部１１、表示部１２、操作部１３、読取部１４、記録部１５、コーデック１６、変換部１７、モデム１８、ＮＣＵ（Network Control Unit）１９、ＬＡＮインタフェイス２０、画像メモリ２１、ＲＯＭ２２、ＲＡＭ２３、及び蓄積部２４を備え、夫々バス２９に接続されている。複合機１０の前記各部１２〜２４はＣＰＵなどの主制御部１１によって制御される。
【００１９】
表示部１２は、ＬＣＤ（液晶表示装置）などの表示装置であり、主制御部１１の制御によって、複合機１０の動作状態の表示などを行う。操作部（入力装置）１３は、画像データの送信先アドレスなどの操作入力を受付ける入力装置であり、スタートキー、ストップキー、テンキー、短縮ダイヤルキー及びファンクションキー等の各種キーを備える。なお、タッチパネル方式の表示部１２を用いることにより、操作部１３の各種キーの一部又は全部を代用することも可能である。
【００２０】
モデム１８は、ファクシミリ通信が可能なファックスモデムであり、バス２９及びＮＣＵ１９と接続されている。ＮＣＵ１９は、外部ネットワーク３２と接続されており、必要に応じてモデム１８を外部ネットワーク３２と接続し、外部ネットワーク３２に接続された外部通信装置（図示せず）との間でファクシミリ通信などのデータ送受信を行う。ＬＡＮインタフェイス２０は、複合機１０を内部ネットワーク３０と接続するためのインタフェイスであり、内部ネットワーク３０に接続された装置との間でデータ送受信を行う。
【００２１】
ＲＯＭ２２は、主制御部１１が実行する種々のプログラム及びデータなどを格納しており、主制御部１１は、ＲＯＭ２２に格納されたプログラムを実行して複合機１０各部の制御を行う。ＲＡＭ２３は、ＳＲＡＭ又はフラッシュメモリ等で構成され、主制御部１１がプログラムを実行する際に使用する一時的なデータ又は各種設定データ等を記憶する。ＲＡＭ２３をフラッシュメモリで構成した場合、複合機１０の各種設定データなどを電源切断時も保持できる。
【００２２】
読取部１４は、例えばＣＣＤ（Charge Coupled Device）を備えたイメージスキャナであり、原稿を読取って画像データを出力する。画像メモリ２１は、ＤＲＡＭ等で構成され、読取部１４が読取った原稿の画像データを記憶する。また、画像メモリ２１は、内部ネットワーク３０又は外部ネットワーク３２を介してＬＡＮインタフェイス２０又はＮＣＵ１９が受信した画像データを記憶する。また、画像メモリ２１に記憶された画像データを、ＬＡＮインタフェイス２０又はＮＣＵ１９から送信することも可能である。記録部１５は、電子写真方式のプリンタであり、画像メモリ２１に記憶された画像データに基づく画像を記録紙に記録する。
【００２３】
コーデック１６は、ファクシミリ送信する画像データの符号化及びファクシミリ受信した画像データの復号などの符号化及び復号を行う。変換部１７は、ファクシミリ送信を行う画像データ形式から電子メール形式への変換及び電子メール形式からファクシミリ受信する画像データ形式への変換などのデータ変換を行う。
【００２４】
蓄積部２４は、読取部１４で読取った画像データ又はファクシミリ受信した画像データなどを蓄積する。例えば画像メモリ２１に記憶された画像データが、主制御部１１の制御によって、蓄積部２４に蓄積される。蓄積部２４として、フラッシュメモリ又はハードディスク装置を用いることが可能である。
【００２５】
主制御部１１は、例えばＦＡＸ番号などの送信先アドレスの入力を受付ける際、送信先アドレスの入力時間を計時する計時手段、及び、計時した入力時間に基づいて入力確認が必要であるか否かを判定する判定手段として動作する。また、送信先アドレスの入力は操作部１３の複数のキーで受付けており、主制御部１１は、１キーあたりの入力時間を算出する算出手段として動作する。そして、１キーあたりの入力時間と入力確認の要否との対応関係がＲＯＭ（記憶部）２２に記憶されており、主制御部１１は、算出した入力時間及びＲＯＭ２２に記憶されている対応関係に基づいて入力確認が必要であるか否かを判定する。前記対応関係の一例を表１に示す。
【００２６】
【表１】
2007128445.tif 000003
【００２７】
表１の例では、１キーあたりの入力時間が０．５秒未満の誤入力率（入力を間違う確率）は２．３％であり、０．５秒以上１．０秒未満の誤入力率は１．４％であり、１．０秒以上１．５秒未満の誤入力率は１．５％であり、１．５秒以上２．０秒未満の誤入力率は２．１％であり、２．０秒以上の誤入力率は２．２％である。また、表１の例では、誤入力率が２％以上の場合に入力確認を行う。表１は、入力時間と誤入力率との関係の一例であるが、１キーあたりの入力時間が短い場合は急いで入力を行っているので入力ミスが生じる可能性が高い。また、１キーあたりの入力時間が長い場合は迷いながら入力を行っているので入力ミスが生じ易い。
【００２８】
ここで、１キーあたりの入力時間は、ＦＡＸ番号などの送信先アドレスの最初の番号が入力されてからスタートキーが押下されるまでの時間を計時し、計時した時間を、キー入力数（ＦＡＸ番号の桁数）で除算することにより、１キーあたりの平均入力時間を求めることが可能である。
【００２９】
入力確認が必要と判定した場合、主制御部１１は、表示部１２に入力確認メッセージを表示すると共に、そのまま送信するか、それとも送信先アドレスを入力し直すかの選択を受付ける。
【００３０】
図２はＦＡＸ送信処理の例を示すフローチャートである。読取部１４に原稿がセットされた場合、原稿がセットされたことを示す信号が主制御部１１に送られ、主制御部１１は、原稿のセットを検出し（Ｓ１０）、操作部１３でＦＡＸ番号の入力を受付ける間、入力時間を計時する（Ｓ１２、Ｓ１４：ＮＯ）。操作部１３のスタートキーが押下された場合（Ｓ１４：ＹＥＳ）、主制御部１１は、入力時間の計時を終了し、１キーあたりの入力時間を算出（Ｓ１６）してＲＡＭ２３に記憶し、１キーあたりの入力時間及びＲＯＭ２２に記憶されている、１キーあたりの入力時間及び入力確認の要否の対応関係（例えば表１参照）に基づいて入力確認を行うか否かを決定する（Ｓ１８）。
【００３１】
入力確認を行う場合（Ｓ２０：ＹＥＳ）、主制御部１１は、表示部１２に入力確認を表示し（Ｓ２２）、ＦＡＸ送信又はＦＡＸ番号再入力の選択を受付ける（Ｓ２４）。例えば、表示部１２に「ＦＡＸ番号は正しいですか」などの入力確認メッセージと、「ＦＡＸ送信」及び「送信先再入力」の選択キーとを表示し、ＦＡＸ送信又はＦＡＸ番号再入力の選択を操作部１３で受付ける。
【００３２】
ＦＡＸ番号再入力の選択を受付けた場合（Ｓ２６：ＹＥＳ）、Ｓ１２にもどって同様の処理を行う（Ｓ１４〜Ｓ２６）。ＦＡＸ送信の選択を受付けた場合（Ｓ２６：ＮＯ）又は入力確認を行わない場合（Ｓ２０：ＮＯ）、主制御部１１はモデム１８及びＮＣＵ１９を制御してＦＡＸ送信を行う（Ｓ２８）。
【００３３】
上述した実施の形態においては、ＦＡＸ番号の入力確認を例にして説明したが、例えば電子メール送信機能を備える複合機において、本発明を適用して電子メールアドレスの入力確認を行うことも可能である。
【図面の簡単な説明】
【００３４】
【図１】本発明に係る入力装置を備える複合機の構成例を示すブロック図である。
【図２】ＦＡＸ送信処理の例を示すフローチャートである。
【符号の説明】
【００３５】
１０  複合機
１１  主制御部
１８  モデム
１９  ＮＣＵ
２０  ＬＡＮインタフェイス
２１  画像メモリ
２３  ＲＡＭ
２４  蓄積部
３０  内部ネットワーク
３２  外部ネットワーク
【図１】
2007128445.tif 000004
【図２】
2007128445.tif 000005